(57)【要約】【課題】音声方式の違いによりスタート時に発生するノイズを防止することができる音声処理装置を提供する。【解決手段】デジタルオーディオ制御用ポート１２を有するシステム制御部２と、複数の音声方式に対応する音声処理部６と、を備えた音声処理装置において、音声処理部６の音声方式に応じてシステム制御部２からスタート時に出力される音声信号のレベルを所定の期間、変換する信号変換部１４を備えるようにした。【選択図】図２
2008216505.tif 000002
【特許請求の範囲】
【請求項１】
デジタルオーディオ制御用ポートを有する制御部と、複数の音声方式に対応する音声処理部と、を備えた音声処理装置において、前記音声処理部の音声方式に応じて前記制御部からスタート時に出力される音声信号のレベルを所定の期間、変換する信号変換部を備えることを特徴とする音声処理装置。
【請求項２】
前記信号変換部は、前記音声方式に応じて、前記制御部からスタート時に出力される音声信号のレベルを、前記音声信号の変化点まで変換することを特徴とする請求項１に記載の音声処理装置。
【請求項３】
デジタルオーディオ制御用ポートを有する制御部と、複数の音声方式に対応する音声処理部と、を備えた音声処理装置において、前記音声方式に応じて前記制御部からスタート時に出力される音声信号のレベルを入力される制御信号に応じて変換する信号変換部を備えたことを特徴とする音声処理装置。
【請求項４】
請求項１乃至３の何れか一項に記載の音声処理装置をＩＣ化したことを特徴とする音声処理装置。
【請求項５】
請求項１乃至４の何れか一項に記載の音声処理装置を備えたことを特徴とする撮像装置。
【発明の詳細な説明】
【技術分野】
【０００１】
本発明は、音声処理装置及び音声処理装置を備える撮像装置に関するものである。
【背景技術】
【０００２】
近年、デジタルカメラの分野において、多機能化が進み、静止画像データとともに音声信号を記録可能なデジタルカメラが開発されている。しかし、多機能化の図ることは、回路基板の大型化による実装スペースを確保するために装置本体の大型化することにつながる。また、例えば、システム制御部においては、多機能化に対応する分、回路基板が複雑化するため、その分コストアップにつながる。
このため、特許文献１等において、実装スペースの縮小化およびコストダウンを実現したシステム装置および音声機能付きのデジタルカメラが提案されている。
【特許文献１】特開２００３−２８３９８３公報
【発明の開示】
【発明が解決しようとする課題】
【０００３】
ところで、デジタルオーディオ制御用ポートを有するシステム制御部と、このシステム制御部からの信号に基づいて音声信号を処理する音声処理部とを有するシステムにおいては、音声処理部が複数の音声フォーマットに対応している場合、音声フォーマットによりデータの極性が異なる場合がある。例えば、ＰＣＭ（Pulse Code Modulation）は、Ｌｏｗレベル（００）が無音レベルであるのに対して、ＩＴＵ−Ｔで規格化されている音声符号化における圧縮方式の１つであるμ−ｌａｗ方式では、ｈｉｇｈレベル（ＦＦｏｒ７Ｆ）が無音レベルとなる。このため、音声データの初期値が決まっているシステム制御部の場合には、本来なら音声信号の再生を開始してから無音レベルであるスタート時の僅かな期間において音量レベルが最大になってしまい、これがノイズになるという問題点があった。
本発明は、上記したような点を鑑みてなされたものであり、音声方式の違いによりスタート時に発生するノイズを防止することができる音声処理装置、及びその音声処理装置を備えた撮像装置を提供することを目的とする。
【課題を解決するための手段】
【０００４】
上記目的を達成するため、請求項１に記載の音声処理装置は、デジタルオーディオ制御用ポートを有する制御部と、複数の音声方式に対応する音声処理部と、を備えた音声処理装置において、前記音声処理部の音声方式に応じて前記制御部からスタート時に出力される音声信号のレベルを所定の期間、変換する信号変換部を備えることを特徴とする。
また請求項２に記載の音声処理装置は、前記信号変換部は、前記音声方式に応じて、前記制御部からスタート時に出力される音声信号のレベルを、前記音声信号の変化点まで変換する請求項１に記載の音声処理装置を特徴とする。
また請求項３に記載の音声処理装置は、デジタルオーディオ制御用ポートを有する制御部と、複数の音声方式に対応する音声処理部と、を備えた音声処理装置において、前記音声方式に応じて前記制御部からスタート時に出力される音声信号のレベルを入力される制御信号に応じて変換する信号変換部を備えたことを特徴とする。
また請求項４に記載の音声処理装置は、請求項１乃至３の何れか一項に記載の音声処理装置をＩＣ化したことを特徴とする。
また請求項５に記載の撮像装置は、請求項１乃至４の何れか一項に記載の音声処理装置を備えたことを特徴とする。
【発明の効果】
【０００５】
本発明によれば、音声処理部の音声方式に応じて制御部からスタート時に出力される音声信号のレベルを、信号変換部において、所定の期間、レベルを反転して音声処理部に出力することで、音声再生時に発生するノイズを低減することができる。
また本発明によれば、信号変換部により音声方式に応じて制御部からスタート時に出力される音声信号のレベルを入力される制御信号に応じて変換することで音声信号再生時に発生するノイズを防止することができる。
【発明を実施するための最良の形態】
【０００６】
以下、本発明の実施の形態を説明する。なお、本実施の形態では、本発明の音声処理装置を備えた撮像装置を例に挙げて説明する。
図１は本実施の形態の撮像装置の構成を示した図である。
この図１に示す本実施の形態のデジタルスチルカメラ装置１は、システム制御部２、撮像部３、画像処理部４、記憶メディア５、音声処理部６、表示制御部７、液晶表示部（以下、ＬＣＤと称する）８、音声入出力部９、ストロボ制御・発光部１０、操作入力部１１、及び音声信号変更部１２により構成される。
【０００７】
システム制御部２は、ＣＰＵ、メモリ、タイマー等からなり、デジタルスチルカメラ装置１全体の制御を行う。撮像部３は、レンズやレンズ駆動モータ等の光学系部品、ＣＣＤ、ＣＣＤ駆動回路、Ａ／Ｄ変換器等からなり、撮像のために設けられる。画像処理部４は、画像処理コントローラ、メモリ等からなり、撮像部３で得られた画像信号に種々の画像処理を施すと共に、撮像部３のＣＣＤ駆動タイミング、レンズ駆動モータを制御してフォーカシング、倍率機能、露出調整等と画像の圧縮伸長を行う。記憶メディア５は、デジタルスチルカメラ装置１に対して着脱可能なフラッシュメモリ等からなり、圧縮された画像信号や音声信号など音、画像に纏わる種々の情報を記憶するために設けられている。音声処理部６は、Ａ／Ｄ変換器及びＤ／Ａ変換等をＩＣ化してなる音声ＣＯＤＥＣ  ＩＣ（以下、単に音声ＩＣと称する）により構成される。表示制御部７は、Ｄ／Ａ変換器、オンスクリーンディスプレイコントローラ等からなり、画像処理部４で処理された画像信号をＬＣＤ８へ表示するための信号処理を行う。またユーザーインターフェイスのための種々のグラフィック画像を生成しＬＣＤ８へ表示するために設けられている。ＬＣＤ（Liquid Crystal Display）８は、画像を表示し、またユーザーインターフェイスのためのグラフィックを表示するために設けられている。音声入出力部９は、音を入力するマイクロホンと、音を出力するヘットホンやスピーカからなる。ストロボ制御・発光部１０は、ストロボの充電、発光部の発光制御を行う。操作入力部１１はユーザーインターフェイスの操作キーからなる。音声信号変更部１２は、音声信号を変化させるロジック等からなる。
【０００８】
図２は、上記した撮像装置に備えられる音声処理装置の構成を示した図である。この図２に音声処理装置は、システム制御部２、音声処理部６、ＡＵＤＩＯ制御ポート１３及び信号変換部１４により構成される。
ＡＵＤＩＯ制御ポート１３は、音声処理部６の音声ＩＣからＤＩＮ信号を入力し、ＣＬＫ信号、ＬＲＯＵＴ信号、ＤＯＵＴ信号を音声処理部６の音声ＩＣに出力する。この時、音声データであるＤＯＵＴ信号は信号変換部１４においてＤＯＵＴ１信号に変換して音声処理部６に出力する。なお、ＬＲＯＵＴ信号は音声データであるＤＯＵＴ信号に含まれる左チャネルと右チャネルの音声データを示す信号である。
【０００９】
以下、本実施の形態の音声処理装置の動作を説明する。
先に述べたように、音声フォーマットがＰＣＭ方式の場合、Ｌｏｗ（００）が無音レベルであるのに対して、μ−ｌａｗ方式の場合、Ｈｉｇｈ（ＦＦｏｒ７Ｆ）が無音レベルとなる。このため、音声処理部６の音声ＩＣの制御の順序によっては、データスタート時に大音量になってしまう。これは音声処理部６の音声ＩＣを動作させ、データを送る際に再生スタートさせてから少しの間、無音データの場合があるためである。
そこで、第１の実施の形態では、音声処理部６の音声方式がＰＣＭであるにも関わらず、使用する音声データの音声方式がμ−ｌａｗ方式の場合、図３に示すように、音声データの出力開始時から無音データとして所定期間Ａだけ出力されるＤＯＵＴ信号を、信号変換部１４において所定期間Ｂだけ、Ｌｏｗレベルからｈｉｇｈレベルに反転するようにしている。そして、信号変換部１４において反転したＤＯＵＴ１信号を音声処理部６の音声ＩＣに出力するようにしている。このように構成すれば、音声再生開始時に発生するノイズを低減することができる。
【００１０】
図４は第１の実施の形態の音声処理装置のシステム制御部が実行する処理を示したフローチャートである。なお、本実施の形態では音声処理部６の音声方式がＰＣＭ方式であるものとする。
この場合、システム制御部２は、使用する音声データがμ−ｌａｗ方式であるか否かの判別を行い（Ｓ１）、音声データがμ−ｌａｗ方式である場合は、信号変換部１４において信号変換を行い（Ｓ２）、変換した音声データを音声処理部６に出力する（Ｓ３）。そして、所定時間経過後（Ｓ４でＹ）、信号変換部１４における信号変換を終了する（Ｓ５）。即ち、信号変換部１４はシステム制御部２から音声信号を変換することなく、そのまま音声処理部６に出力する。なお、本実施の形態では、信号変換部１４を音声処理部６とは別体で構成しているが、信号変換部１４は音声処理部６の音声ＩＣ内に埋め込むことも勿論可能である。信号変換部１４を音声ＩＣに埋め込む場合は、音声ＩＣ側で初期設定によりデータフォーマットが指定されているため、音声方式がμ−ｌａｗの場合だけ、スタート時のデータが反転して認識させれば、音声再生開始時の初期ノイズを低減することができる。
【００１１】
次に、第２の実施の形態の音声処理装置の動作を説明する。なお、音声処理装置の構成は図２と同一であるのでここでは説明は省略する。
第２の実施の形態では、使用する音声データがμ−ｌａｗ方式の場合、図５に示すように、音声データの出力開始時から無音データとして所定期間Ａだけ出力されるＤＯＵＴ信号を、信号変換部１４において、ＤＯＵＴ信号のレベルが変化するまでの期間Ｂだけ、Ｌｏｗレベルからｈｉｇｈレベルに反転するようにしている。そして、信号変換部１４において反転したＤＯＵＴ１信号を音声処理部６の音声ＩＣに出力するようにしている。このように構成すれば、音声再生開始時に発生するノイズを防止することができる。
【００１２】
図６は第２の実施の形態の音声処理装置のシステム制御部が実行する処理を示したフローチャートである。なお、本実施の形態では音声処理部６の音声方式がＰＣＭ方式であるものとする。この場合、システム制御部２は、使用する音声データがμ−ｌａｗ方式であるか否かの判別を行い（Ｓ１１）、音声データがμ−ｌａｗ方式である場合は、信号変換部１４において信号変換を行い（Ｓ１２）、変換した音声データを音声処理部６に出力する（Ｓ１３）。そして、ＤＯＵＴ信号のレベルが変化するデータ変化点を検出したら（Ｓ１４でＹ）、信号変換部１４における信号変換を終了する（Ｓ１５）。即ち、信号変換部１４はシステム制御部２から音声信号を変換することなく、そのまま音声処理部６に出力する。
なお、この場合も信号変換部１４を音声処理部６とは別体で構成しているが、信号変換部１４は音声処理部６の音声ＩＣ内に埋め込むことも勿論可能である。信号変換部１４を音声ＩＣに埋め込む場合は、音声ＩＣ側で初期設定によりデータフォーマットが指定されているため、音声方式がμ−ｌａｗの場合だけ、スタート時のデータが反転して認識させれば、音声再生開始時の初期ノイズを防止することができる。
【００１３】
次に、第３の実施の形態の音声処理装置の動作を説明する。なお、図２に示す音声処理装置と同一部位には同一符号を付して説明は省略する。
第３の実施の形態では、図７に示すように、システム制御部２から出力される制御信号により信号変換部１４の制御を行うようにしている。この場合、システム制御部２において使用する音声データがμ−ｌａｗ方式の場合、図８に示すように、音声データの出力開始時から無音データとして所定期間Ａだけ出力されるＤＯＵＴ信号を、信号変換部１４において、システム制御部２から制御信号が供給されている期間Ｂだけ、Ｌｏｗレベルからｈｉｇｈレベルに反転するようにしている。そして、信号変換部１４において反転したＤＯＵＴ１信号を音声処理部６の音声ＩＣに出力するようにしている。このように構成すれば、音声再生開始時に発生するノイズを防止することができる。
【００１４】
図９は第３の実施の形態の音声処理装置のシステム制御部が実行する処理を示したフローチャートである。なお、本実施の形態では音声処理部６の音声方式がＰＣＭ方式であるものとする。この場合、システム制御部２は、使用する音声データがμ−ｌａｗ方式であるか否かの判別を行い（Ｓ２１）、音声データがμ−ｌａｗ方式である場合は、信号変換部１４において信号変換を行い（Ｓ２２）、変換した音声データを音声処理部６に出力する（Ｓ２３）。そして、準備が完了し制御信号がオフになったら（Ｓ２４でＹ）、信号変換部１４における信号変換を終了する（Ｓ２５）。即ち、信号変換部１４はシステム制御部２から音声信号を変換することなく、そのまま音声処理部６に出力する。
なお、この場合も信号変換部１４を音声処理部６とは別体で構成しているが、信号変換部１４は音声処理部６の音声ＩＣ内に埋め込むことも勿論可能である。信号変換部１４を音声ＩＣに埋め込む場合は、音声ＩＣ側で初期設定によりデータフォーマットが指定されているため、音声方式がμ−ｌａｗの場合だけ、スタート時のデータが反転して認識させれば、音声再生開始時の初期ノイズを防止することができる。
【００１５】
次に、第４の実施の形態の音声処理装置の動作を説明する。
これまで説明した信号変換部１４の機能は、図１０に示すように音声処理部６の音声ＩＣの中に内蔵することも可能である。その場合は音声処理部６の音声ＩＣの内部レジスタの設定により実現することができる。例えば第１の実施の形態の機能を使用したい場合は、システム制御部２から音声処理部６の音声ＩＣのレジスタを設定する。これにより、音声処理部６の音声ＩＣでは、最初に送られてきた音声データを音声ＩＣ側で一定期間反転することにより、第１の実施の形態と同様の機能を実現することができる。同様にして第２、第３の実施の形態の機能も実現することができる。
【００１６】
図１１は、第４の実施の形態の音声処理装置のシステム制御部が実行する処理を示したフローチャートである。なお、本実施の形態では音声処理部６の音声方式がＰＣＭ方式であるものとする。この場合、システム制御部２は、使用する音声データがμ−ｌａｗ方式であるか否かの判別を行い（Ｓ３１）、音声データがμ−ｌａｗ方式である場合は、音声処理部６の音声ＩＣのレジスタの設定を行い（Ｓ３２）、変換した音声データを音声処理部６に出力する（Ｓ３３）。そして、所定期間経過したら（Ｓ３４でＹ）、信号変換部１４における信号変換を終了する（Ｓ３５）。即ち、信号変換部１４はシステム制御部２から音声信号を変換することなく、そのまま音声処理部６に出力する。
なお本実施の形態では、システム制御部２から出力される音声データがμ−ｌａｗ方式、音声処理部６の音声方式がＰＣＭ方式である場合を例に挙げて説明したが、これはあくまでも一例であり、各種の音声方式に適用可能であることは言うまでもない。
【図面の簡単な説明】
【００１７】
【図１】本実施の形態の撮像装置の構成を示した図である。
【図２】音声処理装置の構成を示した図である。
【図３】第１の実施の形態に係るＡＵＤＩＯ制御ポートから出力される信号と信号変換部から出力される信号のタイミングチャートである。
【図４】第１の実施の形態の音声処理装置のシステム制御部が実行する処理を示したフローチャートである。
【図５】第２の実施の形態に係るＡＵＤＩＯ制御ポートから出力される信号と信号変換部から出力される信号のタイミングチャートである。
【図６】第２の実施の形態の音声処理装置のシステム制御部が実行する処理を示したフローチャートである。
【図７】第３の実施の形態に係る音声処理装置の構成を示した図である。
【図８】第３の実施の形態に係るＡＵＤＩＯ制御ポートから出力される信号と信号変換部から出力される信号のタイミングチャートである。
【図９】第３の実施の形態の音声処理装置のシステム制御部が実行する処理を示したフローチャートである。
【図１０】第４の実施の形態に係る音声処理装置の構成を示した図である。
【図１１】第４の実施の形態の音声処理装置のシステム制御部が実行する処理を示したフローチャートである。
【符号の説明】
【００１８】
１…デジタルスチルカメラ装置、２…システム制御部、３…撮像部、４…画像処理部、５…記憶メディア、６…音声処理部、７…表示制御部、８…ＬＣＤ、９…音声入出力部、１０…ストロボ制御・発光部、１１…操作入力部、１２…音声信号変更部、１３…ＡＵＤＩＯ制御ポート、１４…信号変換部
【図１】
2008216505.tif 000003
【図２】
2008216505.tif 000004
【図３】
2008216505.tif 000005
【図４】
2008216505.tif 000006
【図５】
2008216505.tif 000007
【図６】
2008216505.tif 000008
【図７】
2008216505.tif 000009
【図８】
2008216505.tif 000010
【図９】
2008216505.tif 000011
【図１０】
2008216505.tif 000012
【図１１】
2008216505.tif 000013